(57)【特許請求の範囲】
【請求項１】
第１側板の上端に連結される第１蓋板と、第１側板に間隔を有して対向する第２側板の上端に連結される第２蓋板と、前記第１側板及び前記第２側板の双方に隣接する第３側板の上端に連結される第１係合板と、前記第３側板に対向する第４側板の上端に連結される第２係合板と、備える包装容器であって、
前記第１蓋板には、上方に突出する第１把持板が回動可能に連結されており、
前記第２蓋板には、前記第１把持板に重なり合う第２把持板が回動可能に連結されており、
各把持板は、前記第３側板側の端に配置されて前記第１係合板に係合する第１係合部と、前記第４側板側の端に配置されて前記第２係合板に係合する第２係合部と、を備え、
前記第１把持板及び前記第２把持板が前記第１係合板の挿入孔に挿入されて前記第１係合部が前記第１係合板から突出し、前記第１把持板及び前記第２把持板が前記第２係合板の挿入孔に挿入されて前記第２係合部が前記第２係合板から突出して、前記第１係合板と前記第２係合板とが、前記第１把持板と前記第２把持板のそれぞれに係合し、
前記第１係合板と前記第２係合板のそれぞれの挿入孔は、小開口部分と、大開口部分と、を備え、
前記第１把持板と前記第２把持板とのそれぞれは、前記第１係合部と前記第２係合部とが前記小開口部分の外側に位置する係合状態と、前記第１係合部と前記第２係合部とが前記大開口部分の外側に位置する解除状態と、の間で回動可能であり、
前記大開口部分は、前記解除状態において、前記第１把持板と前記第２把持板とのそれぞれの回動を許容する形状を有しており、
前記係合状態では、前記第１把持板が前記第１蓋板に対して回動し、前記第２把持板が前記第１把持板と重なって前記第２蓋板に対して回動する間、前記第１係合板と前記第２係合板が前記第１把持板と前記第２把持板とのそれぞれと係合している状態が維持されており、
前記第１把持板と前記第２把持板とが、前記小開口部分から前記大開口部分まで回動すると、前記係合状態から前記解除状態に移行し、
前記解除状態では、前記第１係合板と前記第２係合板が前記第１把持板と前記第２把持板のそれぞれと係合している状態が解除されており、
前記第１係合部には、
前記係合状態において前記第１把持板が回動する範囲のいずれの位置においても前記小開口部分を通過可能な長さを有する部分と、
前記係合状態において前記第１把持板が回動する範囲のいずれの位置においても、前記第１係合部の前記挿入孔の下端からの長さが、前記小開口部分の前記挿入孔の下端から前記第１係合部に沿う方向の長さよりも長く、前記解除状態において前記第１把持板が回動する範囲のいずれの位置においても、前記第１係合部の前記挿入孔の下端からの長さが前記大開口部分の前記挿入孔の下端から前記第１係合部に沿う方向の長さよりも短い部分と、が設けられており、
前記第２係合部には、
前記係合状態において前記第２把持板が回動する範囲のいずれの位置においても前記小開口部分を通過可能な長さを有する部分と、
前記係合状態において前記第２把持板が回動する範囲のいずれの位置においても、前記第２係合部の前記挿入孔の下端からの長さが、前記小開口部分の前記挿入孔の下端から前記第２係合部に沿う方向の長さよりも長く、前記解除状態において前記第２把持板が回動する範囲のいずれの位置においても、前記第２係合部の前記挿入孔の下端からの長さが前記大開口部分の前記挿入孔の下端から前記第２係合部に沿う方向の長さよりも短い部分と、が設けられており、
前記第１係合部が挿入される前記小開口部分は、前記挿入孔の下端から前記第１係合部に沿う方向の長さが前記第１把持板及び前記第２把持板の回動方向であって前記大開口部分に向かう方向に従って徐々に長くなる部分を有し、
前記第２係合部が挿入される前記小開口部分は、前記挿入孔の下端から前記第２係合部に沿う方向の長さが前記第１把持板及び前記第２把持板の回動方向であって前記大開口部分に向かう方向に従って徐々に長くなる部分を有する、包装容器。
【発明の詳細な説明】
【技術分野】
【０００１】
本明細書は、４枚の側板と２枚の蓋板とを備える包装容器に関する。
【背景技術】
【０００２】
特許文献１には、４枚の周壁と２枚の天板とを備える略直方体形状の包装箱が開示されている。対向する２枚の周壁のそれぞれには、天板が折り曲げ可能に連設されている。また別の対向する２枚の周壁のそれぞれには、係止板が折り曲げ可能に連設されている。各天板の先端には把手が連設されている。重ね合わせた２枚の把手の左右両端は、各係止板の係止孔に挿通係止される。
【先行技術文献】
【特許文献】
【０００３】
【特許文献１】特開２００１−２６１０２９号公報
【発明の概要】
【発明が解決しようとする課題】
【０００４】
上記の技術では、包装箱の使用者は、包装箱を開封するために、各把手を一方の手で押さえた状態で、他方の手で各係止板を各把手から離れる方向に引っ張り、各把手から各係止板を外す必要がある。このため、例えば、使用者が片手のみ使用可能な状況では、包装箱をスムーズに開封することができない可能性がある。
【０００５】
本明細書では、包装容器をスムーズに開封することができる技術を開示する。
【課題を解決するための手段】
【０００６】
本明細書で開示される技術は、第１側板の上端に連結される第１蓋板と、第１側板に間隔を有して対向する第２側板の上端に連結される第２蓋板と、前記第１側板及び前記第２側板の双方に隣接する第３側板の上端に連結される第１係合板と、前記第３側板に対向する第４側板の上端に連結される第２係合板と、備える包装容器に関する。包装容器では、前記第１蓋板には、上方に突出する第１把持板が回動可能に連結されており、前記第２蓋板には、前記第１把持板に重なり合う第２把持板が回動可能に連結されており、各把持板は、前記第３側板側の端に配置されて前記第１係合板に係合する第１係合部と、前記第４側板側の端に配置されて前記第２係合板に係合する第２係合部と、を備え、前記第１把持板及び前記第２把持板が前記第１係合板の挿入孔に挿入されて前記第１係合部が前記第１係合板から突出し、前記第１把持板及び前記第２把持板が前記第２係合板の挿入孔に挿入されて前記第２係合部が前記第２係合板から突出して、前記第１係合板と前記第２係合板とが、前記第１把持板と前記第２把持板のそれぞれに係合し、前記第１係合板と前記第２係合板のそれぞれの挿入孔は、前記第１係合部及び前記第２係合部の長さよりも短い第１小開口部分と、前記第１係合部と前記第２係合部との長さよりも長い大開口部分と、を有し、前記第１把持板と前記第２把持板とのそれぞれは、前記第１係合部と前記第２係合部とが前記第１小開口部分の外側に位置する係合状態と、前記第１係合部と前記第２係合部とが前記大開口部分の外側に位置する解除状態と、の間で回動可能である。
【０００７】
上記の構成では、使用者は、包装容器を開封するために、各把持板を回動させる。これにより、各把持板は、係合状態から解除状態に移行し、各係合板から外れる。即ち、使用者は、各把持板を回動させるだけで包装容器を開封することができる。これにより、使用者は、包装容器をスムーズに開封することができる。
【図面の簡単な説明】
【０００８】
【図１】実施例の包装容器の斜視図を示す。
【図２】実施例の包装容器の展開図を示す。
【図３】実施例の包装容器が密封されている状態における挿入孔及び係合部を示す。
【図４】実施例の包装容器が開封される途中の状態における挿入孔及び係合部を示す。
【図５】実施例の包装容器が開封された状態における挿入孔及び係合部を示す。
【図６】変形例の包装容器を示す。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）前記第１係合板と前記第２係合板のそれぞれの前記挿入孔は、さらに、前記第１小開口部分と前記大開口部分との間に、前記第１開口部分の長さに等しい第２小開口部分を有していてもよい。この構成では、各把持板は、係合状態から解除状態に移行するまでの途中で、第１係合部と前記第２係合部とが第２小開口部分の外側に位置する状態に至る。第２小開口部分が第１小開口部分の長さよりも長くないので、挿入孔が狭くなっている。そのため、各把持板が回動しにくくなっている。これにより、包装容器が意図せずに開封される事態を抑制することができる。
【００１１】
（実施例）
図１は、包装容器１０の斜視図を示す。包装容器１０は、例えばケーキ等のお菓子を店舗から持ち帰るために用いられる。図２は、包装容器１０が展開されたブランク１００を示す。包装容器１０は、１枚のブランク１００を組み立てることによって、作製される。包装容器１０は、厚紙等の丈夫な紙で作製されている。なお、包装容器１０の材料は、紙に限定されず、樹脂等の紙以外の材料であってもよい。なお、本明細書では、便宜上、図１に示す方向で前後左右上下方向を規定している。なお、高さ方向は、上下方向と平行である。
【００１２】
図１及び図２に示すように、包装容器１０は、４枚の側板１２，１３，１４，１５と、１枚の底板４０と、２枚の蓋板１６，１８と、２枚の把持板３４，３６と、２枚の係合板３０，３２と、を備える。
【００１３】
４枚の側板１２，１３，１４，１５は、それぞれ矩形状を有している。側板１４は、側板１５に対向している。側板１４の両端に連結された折込片１４ａ，１４ｂは、それぞれ、側板１２，１３の内側に折り込まれる。側板１５の両端に連結された折込片１５ａ，１５ｂは、それぞれ、側板１２，１３の内側に折り込まれる。４枚の側板１２，１３，１４，１５の下端には、底板４０が連結されている。
【００１４】
４枚の側板１２，１３，１４，１５のうち、互いに対向する側板１２，１３のそれぞれの上端には、蓋板１６，１８のそれぞれが連結されている。蓋板１６，１８は、矩形状を有する。蓋板１６は、側板１２の上端から前方に向かって、側板１４，１５の前後方向の略中央位置まで延びている。蓋板１６の左右方向の長さは、側板１２の左右方向の長さと一致する。同様に、蓋板１８は、側板１３の上端から後方に向かって、側板１４，１５の前後方向の略中央位置まで延びている。蓋板１８の左右方向の長さは、側板１３の左右方向の長さと一致する。なお、変形例では、側板１２，１３は、矩形状を有さなくてもよく、例えば、上辺が下辺よりも長い等脚台形であってもよい。この場合、蓋板１６の左右方向の長さは、側板１２の上辺の長さと一致し、側板１２の下辺よりも長くなる。また、蓋板１８の左右方向の長さは、側板１３の上辺の長さと一致し、側板１３の下辺よりも長くなる。
【００１５】
蓋板１６の左右方向の中央部分に連結される前端片１６ａは、包装容器１０の前後方向の中央付近において蓋板１８に重なる。蓋板１８の左右方向の中央部分に連結される後端片１８ａは、包装容器１０の前後方向の中央付近において蓋板１６に重なる。
【００１６】
図１に示すように、蓋板１６には、上方に突出する把持板３４が回動可能に連結されている。把持板３４は、左右方向の中央部分において、前端片１６ａから上方に切欠き３４ｃを介して離間しており、蓋板１６との間で開口している。開口の左右方向の長さは、前端片１６ａの左右方向の長さと一致する。把持板３４は、側板１４側の端に配置されて係合板３０に係合する係合部３４ａと、側板１５側の端に配置されて係合板３２に係合する係合部３４ｂと、を備える。蓋板１８には、上方に突出する把持板３６が回動可能に連結されている。把持板３６は、把持板３４と同一形状を有しており、把持板３４と重ね合わされている。使用者は、切欠き３４ｃ，３６ｃに指を挿入して、把持板３４，３６を把持することができる。
【００１７】
把持板３４，３６は、重ね合わされた状態で、係合板３０，３２と係合する。係合板３０，３２は、それぞれ側板１４，１５の上端に連結されている。係合板３０，３２は、上側の２つの角が丸まった略矩形状を有している。係合板３２は、折曲部３３を備える。折曲部３３は、切込線３３ａに沿って切られ、折曲線３３ｂに沿って外側に折り曲げられる。これにより、挿入孔３２ａが係合板３２に設けられる。挿入孔３２ａには、係合部３４ｂ，３６ｂが挿入される。係合板３０は、係合板３２と同様である。係合板３０の折曲部３１、切込線３１ａ、折曲線３１ｂ、挿入孔３０ａで示される構成は、それぞれ、係合板３２の折曲部３３、切込線３３ａ、折曲線３３ｂ、挿入孔３２ａで示される構成と同様である。挿入孔３０ａには、係合部３４ａ，３６ａが挿入される。
【００１８】
包装容器１０は、ブランク１００の状態で内部にお菓子等を収容して、側板１２〜１５を上下方向に直立させ、蓋板１６，１８を閉じると、把持板３４，３６が重ね合わせられる。そして、係合板３０が係合部３４ａ，３６ａに向かって倒されると、把持板３４，３６が挿入孔３０ａに挿入されて係合部３４ａ，３６ａが係合板３０から突出する。これにより、係合部３４ａ，３６ａが係合板３０に係合する。同様にして、係合板３２が係合部３４ｂ，３６ｂに向かって倒されると、把持板３４，３６が挿入孔３２ａに挿入されて係合部３４ｂ，３６ｂが係合板３２から突出する。これにより、係合部３４ｂ，３６ｂが係合板３２に係合する。この状態において、使用者は、把持板３４，３６を把持して、包装容器１０を運ぶことができる。
【００１９】
係合部３４ｂ，３６ｂが係合板３２に係合している様子を図３を参照して説明する。図３には、挿入孔３２ａと、係合部３４ｂ，３６ｂと、が示されている。なお、係合部３４ｂ，３６ｂは、係合板３２の表面に沿って切断した断面として示されている。係合部３４ｂ，３６ｂは、傾斜方向に延在している。傾斜方向とは、挿入孔３２ａの表面に沿っており、かつ、前後方向と直交する方向である。挿入孔３２ａの傾斜方向における長さＬ１は、係合部３４ｂ，３６ｂの長さＬ２（図２参照）よりも短い。係合部３４ｂ，３６ｂの下端は、挿入孔３２ａの外縁点３３ｃに接触している。そして、長さＬ１が長さＬ２よりも短いために、係合部３４ｂ，３６ｂの上端は、挿入孔３２ａの外縁点３３ｄにおいて係合板３２に係合されている。なお、図面では、係合部３４ｂ，３６ｂの厚みを強調して描いているが、実際にはこれらの厚みは無視できる程小さい。そのため、以下では、係合部３４ｂ，３６ｂの上端及び下端を線ではなく、点として扱う。
【００２０】
次いで、包装容器１０が開封される（即ち、係合部３４ｂ，３６ｂが係合板３２から取り外される）途中の様子を図３，４を参照して説明する。使用者は、開封時に、把持板３４，３６を蓋板１６に向かって倒す。即ち、使用者は、把持板３４，３６を、それらの下端を支点として、図３の矢印Ｒで示される方向に向かって回動させる。これにより、把持板３４，３６の上端が係合される位置は、外縁点３３ｄから外縁点３３ｅに向かって移動する。
【００２１】
外縁点３３ｄから外縁点３３ｅに至る曲線は、外縁点３３ｃを中心とした略円弧状である。即ち、外縁点３３ｃと外縁点３３ｅとの間の距離である長さＬ３は、外縁点３３ｃと外縁点３３ｄとの間の距離である長さＬ１に等しい。把持板３４，３６の上端が係合される位置が外縁点３３ｅまで移動した状態では、長さＬ３が長さＬ２よりも短いために、係合部３４ｂ，３６ｂの上端が、外縁点３３ｅにおいて係合板３２に係合されている。
【００２２】
次いで、包装容器１０が開封される様子を図５を参照して説明する。使用者は、図４の状態において、把持板３４，３６を蓋板１６に向かってさらに倒す。これにより、把持板３４，３６の上端が係合される位置は、外縁点３３ｅから外縁点３３ｆに向かって移動する。ここで、係合部３４ｂ，３６ｂが延在する方向における挿入孔３２ａの長さを特定の長さと呼ぶ。係合部３４ｂ，３６ｂの上端の位置が外縁点３３ｅに一致する場合では、特定の長さは、長さＬ３（即ち、外縁点３３ｃ，３３ｅを結ぶ線分の長さ）である。当該位置が外縁点３３ｆに向かって移動するに従って、特定の長さは長くなる。そして、当該位置が外縁点３３ｆに至る途中で、特定の長さは、係合部３４ｂ，３６ｂの長さＬ２よりも大きくなる。この場合に、係合部３４ｂ，３６ｂと係合板３２との係合が解除される。さらに、把持板３４，３６が回動されると、図５に示されるように、係合部３４ｂ，３６ｂが外縁点３３ｃ、３３ｆを結ぶ線分に沿って延在する状態となる。この状態においても、特定の長さが、長さＬ２よりも大きい長さＬ４であるために、係合部３４ｂ，３６ｂと係合板３２との係合が解除されている。係合板３２は、係合部３４ｂ，３６ｂとの係合が解除されると、係合板３２と側板１５との間の境界線（折曲線）に生じている復元力に従って係合部３４ｂ，３６ｂから外れる。
【００２３】
図３〜図５では、係合部３４ｂ，３６ｂ及び係合板３２に関して説明したが、係合部３４ａ，３６ａ及び係合板３０についても同様である。係合板３０の外縁点３１ｃ，３１ｄ，３１ｅ，３１ｆで示される構成は、係合板３２の外縁点３３ｃ，３３ｄ，３３ｅ，３３ｆで示される構成と同様である。即ち、図３及び図４の状態では、係合部３４ａ，３６ａは係合板３０に係合している。そして、図５の状態では、係合部３４ａ，３６ａは係合板３０から外れる。本実施例によると、使用者は、把持板３４，３６を回動させる動作を行うことによって、包装容器１０を開封することができる。当該動作は、片手でも容易に行い得る。即ち、使用者は、包装容器１０をスムーズに開封することができる。
【００２４】
仮に、長さＬ３が長さＬ１よりも長い場合では、本実施例の場合よりも挿入孔３２ａが広くなる。そのため、把持板３４，３６が倒れやすくなる。一方、本実施例では、長さＬ３が長さＬ１よりも長くないので、挿入孔３２ａが狭くなっている。そのため、把持板３４，３６が回動しにくくなっている。これにより、本実施例では、包装容器１０が意図せずに開封される事態を抑制することができる。
【００２５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００２６】
（変形例）
（１）実施例では、外縁点３３ｄから外縁点３３ｆに至る曲線は、複数の曲線を組み合わせて構成されている。変形例では、例えば、当該曲線が１個の曲線で構成されていてもよい。具体的には、長さＬ３が長さＬ１よりも長く、長さＬ４が長さＬ３よりも長くなるように構成される。即ち、「第２小開口部分」は、「第１開口部分」の長さに等しくなくてもよい。
【００２７】
（２）折込片１４ａ，１５ａは、接着剤によって側板１２の内側に接着されてもよい。折込片１４ｂ，１５ｂは、接着剤によって側板１３の内側に接着されてもよい。
【００２８】
（３）変形例では、図６に示されるように、折込片１４ａは、側板１２に連結されていてもよい。折込片１５ａは、側板１５ではなく、側板１２に連結されていてもよい。そして、折込片１４ａ，１５ａは、それぞれ、側板１４，１５の内側に折り込まれていてもよい。折込片１４ｂ，１５ｂについても同様の変形例が可能である。
【００２９】
なお、当該変形例でも各折込片は、接着剤によって各側板の内側に接着されてもよい。例えば、図６では、折込片１４ａ，１５ａは、それぞれ、側板１４，１５の内側に接着される。なお、折込片１４ａ，１５ａが接着されている状態であっても、折曲線１４ｃ，１５ｃを折り曲げることによって、ブランク１００を平面状に（即ちコンパクトに）することができる。また、包装容器１０の製造工程において折込片１４ａ，１５ａを接着する際に、折曲線１４ｃ，１５ｃを折り曲げることによって、ブランク１００を平面状にした状態で作業を行うことができる。
【００３０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３１】
１０：包装容器
１２，１３，１４，１５：側板
１４ａ，１４ｂ，１５ａ，１５ｂ：折込片
１６、１８：蓋板
１６ａ：前端片
１８ａ：後端片
３０，３２：係合板
３０ａ，３２ａ：挿入孔
３１，３３：折曲部
３１ａ，３３ａ：切込線
１４ｃ，１５ｃ，３１ｂ，３３ｂ：折曲線
３１ｃ〜３１ｆ，３３ｃ〜３３ｆ：外縁点
３４，３６：把持板
３４ａ，３４ｂ，３６ａ，３６ｂ：係合部
４０：底板
１００：ブランク
Ｌ１〜Ｌ４：長さ
Ｒ：矢印
【図１】
0006363651.tif 000002
【図２】
0006363651.tif 000003
【図３】
0006363651.tif 000004
【図４】
0006363651.tif 000005
【図５】
0006363651.tif 000006
【図６】
0006363651.tif 000007